(57)【要約】　　【課題】合成樹脂化に対応可能な扉錠装置を提供する。　　【解決手段】ノブ５に連結されて回動可能なリリースカム７と、リリースカムに係合し且つケーシング２に摺合したスライダ３と、スライダに係合し且つ扉の開放側端面から出没可能なラッチボルト４と、ノブの回動によるラッチボルトの没入運動を禁止すべくサムターン１４に連結されてサムターンの回動操作によってケーシングの内面とスライダの外面との対向面間にてスライダの所定範囲の移動を許容する状態と阻止する状態との間を回動変位し得るロックカム８とを有する扉錠装置において、ケーシングの側壁に遊端を当接させる弾発片１７をロックカムに一体形成すると共に、弾発片の遊端を係止させる段差１９を弾発片の当接面に於けるロックカムの回動限度位置に設けるものとする。【選択図】図２
2004076583.tif 000002
【特許請求の範囲】
【請求項１】
　ノブに連結されて回動可能なリリースカムと、該リリースカムに係合し且つケーシングに摺合したスライダと、該スライダに係合し且つ扉の開放側端面から出没可能なラッチボルトと、前記ノブの回動による前記ラッチボルトの没入運動を禁止するべくサムターンに連結されて該サムターンの回動操作によって前記ケーシングの内面と前記スライダの外面との対向面間にて前記スライダの所定範囲の移動を許容する状態と阻止する状態との間を回動変位し得るロックカムとを有する扉錠装置であって、
　前記ケーシングの側壁に遊端を当接させる弾発片が前記ロックカムに一体形成されると共に、
　前記ケーシングの側壁の前記弾発片の当接面に於ける前記ロックカムの回動限度位置に前記弾発片の遊端を係止させる段差が設けられることを特徴とする扉錠装置。
【発明の詳細な説明】
【技術分野】
【０００１】
　本発明は、内側から施解錠し得る扉錠装置に関し、屋内、特に浴室の扉に好適な扉錠装置に関するものである。
【背景技術】
【０００２】
　ノブと一体回動するリリースカムを回動させることにより、ケーシングに摺合したスライダを移動させ、スライダに係合したラッチボルトを扉の端面から没入させる形式の扉錠装置において、扉の内側からのサムターンの回動操作により、外側からの開扉を不能にするロックカムを設けたものが知られている（実開平６−７１８１１号公報等を参照されたい）。
【特許文献１】実開平６−７１８１１号公報
【発明の開示】
【発明が解決しようとする課題】
【０００３】
　ところで、浴室のように、水が直接かかる可能性のある場所に用いる扉錠装置は、発錆による作動不良を防止するために錆び難い材質で構成することが望ましく、そのためには、各部を合成樹脂化することが好ましい。しかるに上記公報に開示された扉錠装置の場合、ロック位置とフリー位置との両回動限度位置にてロックカムが自然に動いてしまわないようにするための静止保持手段として、金属ばねを用いているが、これを発錆の心配のないようにするには、高価な材料を用いざるを得ず、製造コストの低減が困難であった。
【０００４】
　本発明は、このような従来技術の欠点を改善すべく案出されたものであり、その主な目的は、発錆の心配が無く、且つ安価に製造することができるように構成された扉錠装置を提供することにある。
【課題を解決するための手段】
【０００５】
　このような課題を解決するために、ノブ５に連結されて回動可能なリリースカム７と、リリースカムに係合し且つケーシング２に摺合したスライダ３と、スライダに係合し且つ扉の開放側端面から出没可能なラッチボルト４と、ノブの回動によるラッチボルトの没入運動を禁止すべくサムターン１４に連結されてサムターンの回動操作によってケーシングの内面とスライダの外面との対向面間にてスライダの所定範囲の移動を許容する状態と阻止する状態との間を回動変位し得るロックカム８とを有する扉錠装置において、ケーシングの側壁に遊端を当接させる弾発片１７をロックカムに一体形成すると共に、ケーシングの側壁の弾発片の当接面に於けるロックカムの回動限度位置に弾発片の遊端を係止させる段差１９を設けるものとした。
【発明の効果】
【０００６】
　このような本発明の構成によれば、ロックカムの回動限度位置での静止保持手段を、別部材を付加することなく構成し得るので、合成樹脂材にてロックカムに弾発片を一体成型することができる。従って本発明により、発錆の心配の無い扉錠装置を安価に製造する上に多大な効果を奏することができる。
【発明を実施するための最良の形態】
【０００７】
　以下に添付の図面を参照して本発明について詳細に説明する。
【０００８】
　図１〜図４は、本発明を適用した扉錠装置を示している。この扉錠装置１は、図２に良く示されるように、箱状のケーシング２と、ケーシング２の内面に摺合したスライダ３と、スライダ３に係合し且つケーシング２の前壁２ａから出没自在なラッチボルト４と、内外ノブ５同士を連結する角棒状の軸６に固着され且つノブ５と共に回動可能なリリースカム７と、ケーシングの後壁２ｂ内面とスライダ３の外面との対向面間に設けられたロックカム８と、ラッチボルト４を常時突出方向へ弾発付勢する第１コイルばね９と、スライダ３を常時前壁２ａ側へ弾発付勢する第２コイルばね１０とからなっている。そしてこの扉錠装置１は、前壁２ａをドアパネル１１の端面にビス止めすると共に、一対のサイドプレート１２でドアパネル１１を挟み込みつつこれらサイドプレート１２間をビス止めすることにより、ドアパネル１１に固定されている。
【０００９】
　スライダ３は、リリースカム７に係合しており、ノブ５を回動操作してリリースカム７を回動すると後壁２ｂ側へ摺動変位し、前壁２ａの外面からラッチボルト４を引き込む作用をなす。そしてノブ５に加えた操作力を解除すると、第２コイルばね１０の弾発力によって前壁２ａ側の原位置へ復帰するようになっている。
【００１０】
　ラッチボルト４は、スライダ３の後壁２ｂ側への変位に引かれて没入し得ると共に、それ自体を押し込むと他の部材の位置と無関係に没入し、押圧力を解除すると、第１コイルばね９の弾発力によって突出状態に復帰するようになっている。
【００１１】
　ロックカム８は、実質的に概ね長円形をなし、一方の半円の中心側へ偏在した軸１３をもってケーシングの両側壁２ｃに枢支されると共に、内側のサイドプレート１２ａに枢着されたサムターン１４の軸１４ａと、外側のサイドプレート１２ｂに枢着されてコインやマイナスドライバで回動可能な非常用ボタン１５の軸１５ａとの双方に直結されており、図２に示すスライダ３の変位を規制するロック位置と、図３に示すスライダ３の変位を許容するフリー位置との間を回動し得るようになっている。
【００１２】
　ロックカム８の中央部には、図２に於ける裏面側に突出する突起１６を遊端に備え、且つロックカム８の回動中心側を基端とした弾発片１７が設けられている。また、弾発片１７の遊端に形成された突起１６が摺接し得る１／４円周の溝１８が、ケーシングに於ける一方の側壁２ｃの内面に凹設されている。そしてこの溝１８の両端には、僅かに深くされた段部１９が形成されている。これにより、ロックカム８が回動する際に、弾発片１７の遊端の突起１６が溝１８に弾接し、且つロックカム８の回動限度で段部１９に突起１６が落ち込むことで、ロックカム８の回動限度位置で節度感が生じるようになっている。
【００１３】
　ケーシング１０の開口面は、上下壁２ｄ・２ｅおよび後壁２ｂに設けられた突起２０に弾発係合する爪２１が設けられた蓋２２にて塞がれている。この蓋２２をもって他方の側壁をなしている。
【００１４】
　サイドプレート１２には、図４に示すように、ノブ５の基端部に形成された２方面取り部２３の挿通孔２４が設けられている。この孔２４は、真円の円周面の直径線上で対向する部分を内向きにくびれさせた形状をなし、２方面取り部２３に平面で当接することでノブ５の回動可能範囲が所定角度となるように規定している。このように平面が当たることでノブ５の回動範囲が規定されるので、長期の使用に際してもがたを生じることがない。
【００１５】
　次に本実施例装置の作動要領について説明する。ラッチボルト４の没入動作を直接的に阻止するものは無いので、通常は、第１コイルばね９の弾発力に抗して押圧すれば、ラッチボルト４は容易にケーシングの前壁２ａから没入する。従って閉扉の際には、ラッチボルト４が戸枠に当たるだけで没入し、かつ戸枠の内面に設けられたラッチ孔に突出するので、ノブ５を操作せずに閉扉し得る。
【００１６】
　サムターン１４を回動操作してロックカム８をロック状態にすると（図２の状態）、スライダ３の摺動変位が阻止される。従ってリリースカム７も回動できず、もちろんノブ５を回動することもできなくなる。
【００１７】
　サムターン１４を回動操作してロックカム８をフリー状態にすると、スライダ３が自由になるので、ノブ５を回動操作すると、リリースカム７が回動してスライダ３を後壁２ｂ側へ引き込む（図３の状態）。これに連れてラッチボルト４も引き込まれ、戸枠のラッチ孔から解放される。ロックカム８のフリー状態への回動操作は、コインやマイナスドライバで非常用ボタン１５を回動することによっても行い得る。
【００１８】
　図５は、本発明が適用される扉錠装置の別の形態を示している。上記の実施形態に於いては、リリースカム７の作用端とロックカム８とが、ラッチボルト４の摺動中心軸線に対して互いに反対側に位置しているが、本実施形態に於いては、リリースカム７２の作用端を、ロックカム８と同じ側に位置させている。このようにすると、ロック状態時にノブ５を回動しようとした際に、スライダ３に於けるロックカム８とリリースカム７２の作用端とに挟まれた部分が圧縮応力のみを受けるので、強度設計が単純化され、耐久性を増す上に有利である。
【産業上の利用可能性】
【００１９】
　本発明に係る扉錠装置は、合成樹脂化に容易に対応可能なので、浴室の扉など、水が直接かかる可能性のある場所に用いる扉錠装置に好適である。
【図面の簡単な説明】
【００２０】
【図１】本発明が適用された扉錠装置の平面図である。
【図２】ロック状態を図１に於けるII−II線に沿って示す断面図である。
【図３】フリー状態を図１に於けるII−II線に沿って示す断面図である。
【図４】図１に於けるIV線方向から見た部分的な正面図である。
【図５】別の実施形態を示す要部断面図である。
【符号の説明】
【００２１】
１　扉錠装置
２　ケーシング
３　スライダ
４　ラッチボルト
５　ノブ
６　角棒軸
７・７２　リリースカム
８　ロックカム
９　第１コイルばね
１０　第２コイルばね
１１　ドアパネル
１２　サイドプレート
１３　軸
１４　サムターン
１５　非常用ボタン
１６　突起
１７　弾発片
１８　溝
１９　段部
２０　突起
２１　爪
２２　蓋
２３　２方面取り部
２４　孔
【図１】
2004076583.tif 000003
【図２】
2004076583.tif 000004
【図３】
2004076583.tif 000005
【図４】
2004076583.tif 000006
【図５】
2004076583.tif 000007